(57)【要約】【課題】作業者が装着しているハーネス型安全帯の命綱連結用環状金具に命綱が連結可能で、しかも、作業者が肩甲骨を左右方向へ動かすような動作を無理なく行える装着性に優れた高所作業支援器具を提供する。【解決手段】作業者Ｍが上げた上腕部Ｍａを支持して上腕部Ｍａにかかる負荷を軽減するための身体装着用の高所作業支援器具であって、上腕部Ｍａを支持するアーム部材２と、アーム部材２が取着されると共に作業者Ｍの背部Ｍｂに配設される背ベース部材１と、を備え、背ベース部材１は、作業者Ｍの肩部Ｍｋに向かって伸びる左右一対の上方延伸片部１ｋ，１ｋを備え、作業者Ｍが装着しているハーネス型安全帯８の命綱連結用環状金具81を露出させるためのＶ字状乃至Ｕ字状の逃がし部１ｖを、左右一対の上方延伸片部１ｋ，１ｋをもって形成した。【選択図】図２
2020092961.tif 000002
【特許請求の範囲】
【請求項１】
作業者（Ｍ）が上げた上腕部（Ｍａ）を支持して該上腕部（Ｍａ）にかかる負荷を軽減するための身体装着用の高所作業支援器具であって、
上記上腕部（Ｍａ）を支持するアーム部材（２）と、該アーム部材（２）が取着されると共に上記作業者（Ｍ）の背部（Ｍｂ）に配設される背ベース部材（１）と、を備え、
上記背ベース部材（１）は、上記作業者（Ｍ）の肩部（Ｍｋ）に向かって伸びる左右一対の上方延伸片部（１ｋ）（１ｋ）を備え、
上記作業者（Ｍ）が装着しているハーネス型安全帯（８）の命綱連結用環状金具（81）を露出させるためのＶ字状乃至Ｕ字状の逃がし部（１ｖ）を、左右一対の上記上方延伸片部（１ｋ）（１ｋ）をもって形成したことを特徴とする高所作業支援器具。
【請求項２】
上記背ベース部材（１）は、上記作業者（Ｍ）の背部（Ｍｂ）に当接する布状体（11）と、上記布状体（11）の後面（11ｂ）に取着される弾性板状体（12）と、を備え、
さらに、上記弾性板状体（12）は後方弯曲凸状であり、該弾性板状体（12）の後面（12ｂ）には上記アーム部材（２）が取着されている請求項１記載の高所作業支援器具。
【発明の詳細な説明】
【技術分野】
【０００１】
本発明は、高所作業支援器具に関する。
【背景技術】
【０００２】
従来、作業者が上腕部を上げた姿勢で作業を行う際に、上腕部を支持して上腕部にかかる負荷を軽減する上半身装着用の作業支援器具があった（例えば、特許文献１参照）。
また、建設現場や解体工事現場の仮設足場等の高所で作業を行う場合は、ハーネス型安全帯（例えば、特許文献２参照）を装着し、作業者の背部に配設されるＤ環金具等の命綱連結用環状金具に、親綱や子綱等の命綱と連結する必要があった。
【先行技術文献】
【特許文献】
【０００３】
【特許文献１】特開２０１４−１１３６６６号公報
【特許文献２】特開２０１４−２３３４６３号公報
【発明の概要】
【発明が解決しようとする課題】
【０００４】
しかし、従来の作業支援器具は、背パッドや背フレーム等の背ベース部材が邪魔になって、ハーネス型安全帯の命綱連結用環状金具に命綱を連結できないといった問題があった。つまり、高所作業の場合は使用できなかった。
さらに、作業者が左右の肩甲骨を接近・離間させるような動作を行うと、背ベース部材が肩部や肩甲骨の動きを規制して、動きにくいといった問題や、つっぱり感や不快感を与えてしまうといった問題もあった。
【０００５】
そこで、本発明は、作業者が装着しているハーネス型安全帯の命綱連結用環状金具に命綱を容易に連結可能で、しかも、作業者が肩甲骨を動かすような動作を無理なく行える装着性に優れた高所作業支援器具の提供を目的とする。
【課題を解決するための手段】
【０００６】
本発明の高所作業支援器具は、作業者が上げた上腕部を支持して該上腕部にかかる負荷を軽減するための身体装着用の高所作業支援器具であって、上記上腕部を支持するアーム部材と、該アーム部材が取着されると共に上記作業者の背部に配設される背ベース部材と、を備え、上記背ベース部材は、上記作業者の肩部に向かって伸びる左右一対の上方延伸片部を備え、上記作業者が装着しているハーネス型安全帯の命綱連結用環状金具を露出させるためのＶ字状乃至Ｕ字状の逃がし部を、左右一対の上記上方延伸片部をもって形成したものである。
また、上記背ベース部材は、上記作業者の背部に当接する布状体と、上記布状体の後面に取着される弾性板状体と、を備え、さらに、上記弾性板状体は後方弯曲凸状であり、該弾性板状体の後面には上記アーム部材が取着されているものである。
【発明の効果】
【０００７】
本発明によれば、作業者が装着しているハーネス型安全帯の命綱連結用環状金具に、命綱を容易かつ迅速に連結することができる。従って、作業者の上腕部を上げた状態に保持する支援を、高所で行うことができる。高所作業者の肉体的負担を軽減できると共に、安全を確保できる。作業者が左右の肩甲骨を接近・離間させるような動作を、容易に無理なく行え、装着性に優れる。高所での作業を安全に行えると共に、作業者が上腕部や肩部をスムーズに違和感なく動かせて、楽に作業を行える。
【図面の簡単な説明】
【０００８】
【図１】本発明の高所作業支援器具の実施の一形態を示す使用状態の斜視図である。
【図２】使用状態の一例を示す背面斜視図である。
【図３】正面図である。
【図４】背面図である。
【図５】後ろ上方から見た斜視図である。
【図６】布状体の一例を示す背面図である。
【図７】弾性板状体の一例を示す背面図である。
【図８】布状体と弾性板状体の組付準備状態の背面図である。
【図９】布状体と弾性板状体の組付準備状態の断面側面図である。
【図１０】布状体と弾性板状体の組付状態の背面図である。
【図１１】布状体と弾性板状体の組付状態の断面側面図である。
【図１２】ハーネス型安全帯の装着状態の一例を示す背面斜視図である。
【図１３】支援器具装着状態の一例を示す背面斜視図である。
【発明を実施するための形態】
【０００９】
以下、図示の実施形態に基づき本発明を詳説する。
本発明に係る高所作業支援器具は、図１に示すように、建設現場や解体工事現場の仮設足場等の高所で作業する作業者Ｍが上げた上腕部Ｍａを支持して、その上腕部Ｍａにかかる負荷（上腕部Ｍａの負担）を軽減するための身体装着用である。
【００１０】
図１乃至図５に示すように、作業者Ｍの上腕部Ｍａを支持するための左右一対のアーム部材２，２と、各アーム部材２の基端部２ｂが取着されると共に作業者Ｍの背部Ｍｂに配設される背ベース部材１と、背ベース部材１に垂下状に取着される連結杆３と、連結杆３の下端部３ｂに取着されると共に作業者Ｍの腰部に配設される腰ベース部材４と、を備え、作業者Ｍの上半身に装着される。
【００１１】
背ベース部材１は、作業者Ｍの背部Ｍｂに前面が当接する布状体11と、布状体11の後面11ｂに取着される弾性板状体12と、を備えている。
【００１２】
図６に示すように、布状体11は、幅広の基部11ｄから上方突出状に左右一対に設けた延伸片部11ｋ，11ｋを有する略Ｙ字状である。布状体11は、基部11ｄの下縁部に左右一対の上方開口状の下ポケット部11ｅ，11ｅを有し、延伸片部11ｋの上端部に下方開口状の上ポケット部11ｆを有している。そして、左右一対の延伸片部11ｋ，11ｋをもって（一対の延伸片部11ｋ，11ｋの間に）、Ｖ字状乃至Ｕ字状の逃がし部11ｖを形成し、各延伸片部11ｋの上端部乃至上下中間部が独立状（個別）に揺動可能である。
【００１３】
布状体11は、主として合成樹脂繊維製のメッシュ状布材16で形成され、多数の通気孔（メッシュ孔）を有している。より具体的には、ベース材としてのメッシュ状布材16と、メッシュ状布材16の縁部に縫着して補強する縁巻部材17と、メッシュ状布材16の後面に縫着され下ポケット部11ｅを形成する人工皮革や天然皮革等の（メッシュ状布材16よりも）厚手の下ポケット用布生地材18と、メッシュ状布材16の後面に縫着され上ポケット部11ｆを形成する人工皮革や天然皮革等の（メッシュ状布材16よりも）厚手の上ポケット用布生地材19と、で形成している。
布状体11は、作業者Ｍの背部Ｍｂの形状に沿って当接しやすく、密着性を高めながらも、メッシュ構造であるため通気性に優れ、蒸れ等の不快感を軽減する。
【００１４】
図７に示すように、弾性板状体12は、幅広状の基部12ｄから上方突出状に左右一対に設けた延伸片部12ｋ，12ｋを有すると共に、基部12ｄから下方突出状に左右一対に設けた垂下片部12ｅ，12ｅを有する略Ｈ字状である。そして、弾性板状体12は、左右一対の延伸片部12ｋ，12ｋをもって（一対の延伸片部12ｋ，12ｋの間に）、Ｖ字状乃至Ｕ字状の逃がし部12ｖを形成し、各延伸片部12ｋの上端部乃至上下中間部が独立状に揺動（弾性変形）可能である。
【００１５】
弾性板状体12は、樹脂製の板材であり、繊維強化プラスチック（ＦＲＰ）製とするのが好ましい。特に、炭素繊維強化プラスチック（ＣＦＲＰ）製とするのが、軽量でありながらも、強度と弾性に優れて好ましい。弾性板状体12は、アーム部材２や連結杆３からの荷重（負荷）を受けることが可能な十分な強度を有しながらも、作業者Ｍが動作しやすいように弾性変形も可能である。また、軽量であり長時間装着しても作業者Ｍへの負担が少ない。
【００１６】
図８と図９に示すように、布状体11の後面11ｂ側に、弾性板状体12を配設し、図10と図11に示すように、布状体11の各上ポケット部11ｆに弾性板状体12の各延伸片部12ｋの上端部を下方から差込状に収納すると共に、布状体11の各下ポケット部11ｅに弾性板状体12の各垂下片部12ｅの下端部を上方から差込み状に収納して、布状体11の逃がし部11ｖと弾性板状体12の逃がし部12ｖを対応させ、布状体11に張りを付与すると共に、弾性板状体12を後方弯曲凸状に保持して、背ベース部材１を形成する。
【００１７】
つまり、背ベース部材１は、布状体11の基部11ｄと弾性板状体12の基部12ｄで形成されるベース基部１ｄと、布状体11の一対の延伸片部11ｋ，11ｋと弾性板状体12の一対の延伸片部12ｋ，12で形成される左右一対の上方延伸片部１ｋ，１ｋとを有している。そして、背ベース部材１は、左右一対の上方延伸片部１ｋ，１ｋをもって（一対の上方延伸片部１ｋ，１ｋの間に）、Ｖ字状乃至Ｕ字状の逃がし部１ｖを形成している。
言い換えると、背ベース部材１の逃がし部１ｖは、布状体11の逃がし部11ｖと、弾性板状体12の逃がし部12ｖとによって、形成されている。
【００１８】
このように、布状体11と弾性板状体12の組み合わせによって背ベース部材１を形成しているので、張りのある布状体11が、作業者Ｍの背部Ｍｂの形状に沿って密着し位置ズレを防止できる。また、布状体11と弾性板状体12の間に空間部15が形成され、作業者Ｍが背部Ｍｂを丸めるような姿勢になっても、背骨等に硬い部材が接触せず、違和感や圧迫感を受けることなく動作できる。また、組立（組付）や保守が容易である。
【００１９】
ここで、図12に示すように、高所で作業する作業者Ｍは、背ベース部材１（本発明の高所作業支援器具）を装着する前に、予めハーネス型安全帯８を装着している。
ハーネス型安全帯８は、肩ベルト部85や太腿ベルト部86を有し、作業者Ｍの体全体に巻き付くように装着される。そして、ハーネス型安全帯８は、作業者Ｍの各肩部Ｍｋにタスキ状に肩掛けされた肩ベルト部85，85が作業者Ｍの背部Ｍｂの上部（肩甲骨と肩甲骨の間）で交差し、そのベルト交差部がパッド状の交差保持具82によって保持されている。さらに、上記ベルト交差部に、Ｄ環金具や矩形環金具等の命綱連結用環状金具81が取着されている。
【００２０】
そして、図13に示すように、ハーネス型安全帯８を装着している作業者Ｍの背部Ｍｂに、背ベース部材１を配設して背負うように作業者Ｍの上半身に装着させると、逃がし部１ｖから命綱連結用環状金具81が露出する。
従って、図１と図２に示すように、親綱や子綱等の命綱７の一端部７ａに設けているフック状の連結金具が、命綱連結用環状金具81に連結（接続）可能となる。また命綱連結用環状金具81に対する命綱７の取付け・取外し作業も容易かつ迅速にできる。
【００２１】
また、図示省略するが、作業者Ｍが一方の上腕部Ｍａを左右内方や左右外方へ移動させようとして、作業者Ｍが一方の肩甲骨を他方の肩甲骨に対して接近・離間させるように動かそうとした場合に、（一方の肩甲骨に対応する）一方の上方延伸片部１ｋは、他方の上方延伸片部１ｋと上端部乃至上下中間部が連結していないため移動を阻止するような規制を受けず、作業者Ｍはスムーズに一方の肩甲骨を動かすことができ、つっぱり感や圧迫感等の不快さを感じずに作業を行える。
【００２２】
また、図10に於て、背ベース部材１は、上方延伸片部１ｋ（布状体11の延伸片部11ｋ及び弾性板状体12の延伸片部12ｋ）の上端部に、装着用の肩掛けベルト部材を連結するための開口部１ｇを有している。開口部１ｇに肩掛けベルト部材を前方から挿通させて、折返し用金具31（図13参照）を介して、折り返し、その後、肩掛けベルト部材を後方から開口部１ｇに挿通させる。折返し用金具31が開口部１ｇの近傍に係止することで、肩掛けベルト部材を上方延伸片部１ｋの上端部に連結している。肩掛けベルト部材は、装着用の腰ベルト部材、或いは、腰ベース部材４に連結している。
【００２３】
また、図５に於て、アーム部材２は、弾性板状体12の基部12ｄに固着する保持部材20と、保持部材20に基端部21ｂが鉛直状の第１接続軸心廻りに回転自在に保持されたＬ字杆状の第１接続部材21と、第１接続部材21の先端部に基端部22ｂが鉛直状の第２接続軸心廻りに回転自在に保持されたＬ字杆状の第２接続部材22と、第２接続部材22の先端部に基端部23ｂが鉛直状の第３接続軸心廻りに回転自在に保持された水平杆状の第３接続部材23と、第３接続部材23の先端部が外嵌状に固着する軸部24ａが箱状のケーシング24ｂから突設された支援力発揮用の作動ユニット部24と、作動ユニット部24のケーシング24ｂに固着され作業者Ｍの上腕部Ｍａに（図３乃至図５に於て図示省略の）装着用の腕ベルト部材にて装着される板状の腕支持部材25と、を備えている。
【００２４】
アーム部材２は、腕支持部材25が、第１・第２・第３接続部材21，22，23の枢結によって（リンク構造）によって前後左右に移動自在である。
そして、作動ユニット部24は、ガススプリングを支援力発揮用の作動源とした電気不要の機械式であって、ケーシング24ｂの外部に設けた操作部（図示省略）を所定作動操作することで、ケーシング24ｂ内でガススプリングのロッドが伸長作動し、その伸長作動によってケーシング24ｂを軸部24ａ廻り（水平状軸心廻り）に回動させる。つまり、ケーシング24ｂと共に腕支持部材25が水平状軸心廻りに上下方向に回動する。そして、ガススプリングの伸長保持力によって、腕支持部材25が水平状乃至前方上傾状に上がった状態に保持される。つまり、作業者Ｍの上腕部Ｍａを、水平状乃至前方上傾状に上げた姿勢に支援（保持）する。上腕部Ｍａや肩部Ｍｋの力を抜いても、上腕部Ｍａが下方へ垂れずに、上げた状態が保持されるため、上腕部Ｍａにかかる負荷（負担）を軽減し、長時間に渡って上腕部Ｍａを上げた状態で、楽に作業できる。
そして、操作部を所定解除操作することで、ガススプリングが伸縮自由状態となって、上腕部Ｍａの上げ下げを行うことが可能となる。
【００２５】
連結杆３は、上端部３ａが弾性板状体12の基部12ｄに取着され、作業者Ｍの背骨に沿って垂下状に配設され、下端部３ｂが腰ベース部材４の後面に取着している。
連結杆３は、２重筒状の上下伸縮自在構造であって、複数段に上下長さ寸法を調整可能であり、様々な身長の作業者Ｍに対応できる。
【００２６】
腰ベース部材４は、左右横長の帯板状であり、腰ベース部材４には（図３乃至図５に於て図示省略の）装着用の腰ベルト部材が連結されている。
【００２７】
なお、本発明は、設計変更可能であって、作動ユニット部24の作動源はガススプリングに限らず、巻バネや、電動モータ、電動アクチュエータ、エアモータ、エアアクチュエータ等であっても良い。つまり、機械式に限らず、電気（電動）式、エア式、油圧式等自由である。アーム部材２の構成や支援力発揮作動源は上述の実施形態に限らず自由である。また、布状体11及び弾性板状体12の材質としては、上述の実施形態に限らず自由である。
【００２８】
以上のように、本発明の高所作業支援器具は、作業者Ｍが上げた上腕部Ｍａを支持して該上腕部Ｍａにかかる負荷を軽減するための身体装着用の高所作業支援器具であって、上記上腕部Ｍａを支持するアーム部材２と、該アーム部材２が取着されると共に上記作業者Ｍの背部Ｍｂに配設される背ベース部材１と、を備え、上記背ベース部材１は、上記作業者Ｍの肩部Ｍｋに向かって伸びる左右一対の上方延伸片部１ｋ，１ｋを備え、上記作業者Ｍが装着しているハーネス型安全帯８の命綱連結用環状金具81を露出させるためのＶ字状乃至Ｕ字状の逃がし部１ｖを、左右一対の上記上方延伸片部１ｋ，１ｋをもって形成したので、作業者Ｍが装着しているハーネス型安全帯８の命綱連結用環状金具81に、命綱７を容易かつ迅速に連結することができる。従って、作業者Ｍの上腕部Ｍａを上げた状態に保持する支援を、高所で行うことができる。高所作業者Ｍの肉体的負担を軽減できると共に、安全性を確保できる。作業者Ｍが肩甲骨を動かすような動作を容易に無理なく行え、装着性に優れる。高所での作業を楽にかつ安全に行えると共に、作業者Ｍが上腕部Ｍａや肩部Ｍｋをスムーズに違和感なく動かすことができる。
【００２９】
また、上記背ベース部材１は、上記作業者Ｍの背部Ｍｂに当接する布状体11と、上記布状体11の後面11ｂに取着される弾性板状体12と、を備え、さらに、上記弾性板状体12は後方弯曲凸状であり、該弾性板状体12の後面12ｂには上記アーム部材２が取着されているので、背ベース部材１を軽量としながらも十分な剛性（強度）を得ることができる。作業者Ｍの背部Ｍｂに不快感を与えることが無く装着性に優れると共に、作業者Ｍの動作を妨げず、作業者Ｍがスムーズに動作できる。
【符号の説明】
【００３０】
１  背ベース部材
１ｋ  上方延伸片部
１ｖ  逃がし部
２  アーム部材
８  ハーネス型安全帯
11  布状体
11ｂ  後面
12  弾性板状体
12ｂ  後面
81  命綱連結用環状金具
Ｍ  作業者
Ｍａ  上腕部
Ｍｂ  背部
Ｍｋ  肩部
【図１】
2020092961.tif 000003
【図２】
2020092961.tif 000004
【図３】
2020092961.tif 000005
【図４】
2020092961.tif 000006
【図５】
2020092961.tif 000007
【図６】
2020092961.tif 000008
【図７】
2020092961.tif 000009
【図８】
2020092961.tif 000010
【図９】
2020092961.tif 000011
【図１０】
2020092961.tif 000012
【図１１】
2020092961.tif 000013
【図１２】
2020092961.tif 000014
【図１３】
2020092961.tif 000015